【手続補正書】
【提出日】平成27年1月28日(2015.1.28)
【手続補正１】
【補正対象書類名】特許請求の範囲
【補正対象項目名】全文
【補正方法】変更
【補正の内容】
【特許請求の範囲】
【請求項１】
表示手段を有する画像形成装置であって、
前記表示手段に表示されているコンテンツをスクロールさせるためのユーザ操作を受け付ける受付手段と、
前記表示手段に表示されているコンテンツが、前記画像形成装置によるデータの誤出力を防止するためのプレビュー表示であるか否かを判定する判定手段と、
前記判定手段により、前記表示手段に表示されているコンテンツが前記誤出力を防止するためのプレビュー表示でないと判定された場合、前記受付手段により前記ユーザ操作を受け付けた際の前記コンテンツのスクロール速度を第１速度に設定し、前記判定手段により前記表示手段に表示されているコンテンツが前記誤出力を防止するためのプレビュー表示であると判定された場合、前記受付手段により前記ユーザ操作を受け付けた際の前記コンテンツのスクロール速度を、前記第１速度よりも速度の遅い第２速度に設定する設定手段と
備えることを特徴とする画像形成装置。
【請求項２】
表示手段を有する画像形成装置であって、
前記表示手段に表示されているコンテンツをスクロールさせるためのユーザ操作を受け付ける受付手段と、
前記表示手段に表示されているコンテンツが、前記画像形成装置によるデータの誤出力を防止するためのプレビュー表示であるか否かを判定する判定手段と、
前記判定手段により、前記表示手段に表示されているコンテンツが前記誤出力を防止するためのプレビュー表示でないと判定された場合、前記受付手段により前記ユーザ操作を受け付けた際の前記コンテンツのスクロール移動量を第１移動量に設定し、前記判定手段により、前記表示手段に表示されているコンテンツが前記誤出力を防止するためのプレビュー表示であると判定された場合、前記受付手段により前記ユーザ操作を受け付けた際の前記コンテンツのスクロール移動量を、前記第１移動量よりも移動量の小さい第２移動量に設定する設定手段と
を備えることを特徴とする画像形成装置。
【請求項３】
前記判定手段は、
前記表示手段に表示されている画面に遷移するまでの操作情報が前記プレビューを表示した後にすぐに前記データを画像出力することを示す場合には、前記誤出力を防止するためのプレビュー表示であると判定し、そうでない場合には、前記誤出力を防止するためのプレビュー表示でないと判定することを特徴とする請求項１又は２に記載の画像形成装置。
【請求項４】
前記判定手段は、
前記データの出力設定の中でセキュリティに関する設定が行われている場合には、前記誤出力を防止するためのプレビュー表示であると判定し、そうでない場合には、前記誤出力を防止するためのプレビュー表示でないと判定することを特徴とする請求項１又は２に記載の画像形成装置。
【請求項５】
前記判定手段は、
前記画像形成装置におけるデータ出力のデフォルト設定においてデータ出力前にプレビュー表示を行う設定が行われている場合には、前記誤出力を防止するためのプレビュー表示であると判定し、そうでない場合には、前記誤出力を防止するためのプレビュー表示でないと判定することを特徴とする請求項１又は２に記載の画像形成装置。
【請求項６】
前記プレビュー表示されたデータを、ネットワークを介して外部機器に送信するか、又は、記録材に画像形成する出力手段をさらに備えることを特徴とする請求項１乃至５の何れか１項に記載の画像形成装置。
【請求項７】
前記設定手段は、前記コンテンツのスクロールの初速度及び減速度を設定することを特徴とする請求項１記載の画像形成装置。
【請求項８】
原稿上の画像を読み取って画像データを生成する生成手段を備え、
前記表示手段は、前記生成手段により生成された画像データのプレビュー表示が可能であることを特徴とする請求項１乃至７の何れか１項に記載の画像形成装置。
【請求項９】
前記画像形成装置はタッチパネルを備え、
前記ユーザ操作は、前記タッチパネルへのフリック操作であることを特徴とする請求項１乃至８のいずれか１項に記載の画像形成装置。
【請求項１０】
表示手段を有する画像形成装置の制御方法であって、
受付手段が、前記表示手段に表示されているコンテンツをスクロールさせるためのユーザ操作を受け付ける受付工程と、
判定手段が、前記表示手段に表示されているコンテンツが、前記画像形成装置によるデータの誤出力を防止するためのプレビュー表示であるか否かを判定する判定工程と、
認定手段が、前記判定工程で、前記表示手段に表示されているコンテンツが前記誤出力を防止するためのプレビュー表示でないと判定された場合、前記受付手段により前記ユーザ操作を受け付けた際の前記コンテンツのスクロール速度を第１速度に設定し、前記判定工程で前記表示手段に表示されているコンテンツが前記誤出力を防止するためのプレビュー表示であると判定された場合、前記受付手段により前記ユーザ操作を受け付けた際の前記コンテンツのスクロール速度を、前記第１速度よりも速度の遅い第２速度に設定する設定工程と
実行することを特徴とする画像形成装置の制御方法。
【請求項１１】
表示手段を有する画像形成装置の制御方法であって、
受付手段が、前記表示手段に表示されているコンテンツをスクロールさせるためのユーザ操作を受け付ける受付工程と、
判定手段が、前記表示手段に表示されているコンテンツが、前記画像形成装置によるデータの誤出力を防止するためのプレビュー表示であるか否かを判定する判定工程と、
認定手段が、前記判定工程で、前記表示手段に表示されているコンテンツが前記誤出力を防止するためのプレビュー表示でないと判定された場合、前記受付工程で前記ユーザ操作を受け付けた際の前記コンテンツのスクロール移動量を第１移動量に設定し、前記判定工程で、前記表示手段に表示されているコンテンツが前記誤出力を防止するためのプレビュー表示であると判定された場合、前記受付工程で前記ユーザ操作を受け付けた際の前記コンテンツのスクロール移動量を、前記第１移動量よりも移動量の小さい第２移動量に設定する設定工程と
を実行することを特徴とする画像形成装置の制御方法。
【請求項１２】
請求項１０又は１１に記載の画像形成装置の制御方法における各ステップをコンピュータに実行させるためのプログラム。
【手続補正２】
【補正対象書類名】明細書
【補正対象項目名】０００９
【補正方法】変更
【補正の内容】
【０００９】
本発明は、例えば、表示手段を有する画像形成装置であって、前記表示手段に表示されているコンテンツをスクロールさせるためのユーザ操作を受け付ける受付手段と、前記表示手段に表示されているコンテンツが、前記画像形成装置によるデータの誤出力を防止するためのプレビュー表示であるか否かを判定する判定手段と、前記判定手段により、前記表示手段に表示されているコンテンツが前記誤出力を防止するためのプレビュー表示でないと判定された場合、前記受付手段により前記ユーザ操作を受け付けた際の前記コンテンツのスクロール速度を第１速度に設定し、前記判定手段により前記表示手段に表示されているコンテンツが前記誤出力を防止するためのプレビュー表示であると判定された場合、前記受付手段により前記ユーザ操作を受け付けた際の前記コンテンツのスクロール速度を、前記第１速度よりも速度の遅い第２速度に設定する設定手段と備えることを特徴とする。
【手続補正３】
【補正対象書類名】明細書
【補正対象項目名】００１０
【補正方法】変更
【補正の内容】
【００１０】
本発明は、例えば、表示手段を有する画像形成装置であって、前記表示手段に表示されているコンテンツをスクロールさせるためのユーザ操作を受け付ける受付手段と、前記表示手段に表示されているコンテンツが、前記画像形成装置によるデータの誤出力を防止するためのプレビュー表示であるか否かを判定する判定手段と、前記判定手段により、前記表示手段に表示されているコンテンツが前記誤出力を防止するためのプレビュー表示でないと判定された場合、前記受付手段により前記ユーザ操作を受け付けた際の前記コンテンツのスクロール移動量を第１移動量に設定し、前記判定手段により、前記表示手段に表示されているコンテンツが前記誤出力を防止するためのプレビュー表示であると判定された場合、前記受付手段により前記ユーザ操作を受け付けた際の前記コンテンツのスクロール移動量を、前記第１移動量よりも移動量の小さい第２移動量に設定する設定手段とを備えることを特徴とする。